(57)【要約】【課題】撮影に係る状態情報に応じて撮像装置を制御可能とする。【解決手段】状態情報取得部１０７は、当該撮像装置の撮影に係る状態情報を取得し、カスタマイズ情報算出部１０９は、取得される状態情報に基づいて、当該撮像装置を制御するための制御情報を生成し、カスタマイズ制御部１１０は、生成される制御情報に基づいて当該撮像装置を制御する。【選択図】図１
2007235216.tif 000002
【特許請求の範囲】
【請求項１】
当該撮像装置の撮像時の状態に関する情報を取得する取得手段と、
前記取得手段により取得される状態情報を記憶する記憶手段と、
前記記憶手段に記憶されている複数の状態情報に基づいて、当該撮像装置を制御するための制御情報を生成する生成手段と、
前記生成手段により生成される制御情報に基づいて、当該撮像装置を制御する制御手段とを有することを特徴とする撮像装置。
【請求項２】
当該撮像装置のユーザを識別する識別手段を更に有し、
前記記憶手段は、前記識別手段により識別されたユーザ毎に、前記取得手段により取得された状態情報を記憶し、前記生成手段は、ユーザ毎の状態情報に基づいて前記制御情報を生成することを特徴とする請求項１に記載の撮像装置。
【請求項３】
前記記憶手段に記憶される複数の状態情報と、前記取得手段により新たに取得された状態情報との変化量を算出する算出手段と、
前記算出手段により算出される変化量に応じて、前記制御情報を予め決められた情報に設定する設定手段とを更に有することを特徴とする請求項１又は２に記載の撮像装置。
【請求項４】
前記設定手段は、前記算出手段により算出される変化量が所定の閾値より小さい場合、前記制御情報を前記予め決められた情報に設定することを特徴とする請求項３に記載の撮像装置。
【請求項５】
当該撮像装置のユーザを識別する識別手段と、
前記識別手段により識別されたユーザ毎に前記記憶手段に記憶される状態情報と、前記取得手段により新たに取得された状態情報との変化量を算出する算出手段と、
前記算出手段により算出される変化量に応じて、前記記憶手段に記憶される状態情報情報に対して重み付けを行なう重み付け手段とを更に有し、
前記生成手段は、前記重み付け手段により重み付けがなされた状態情報に基づいて、前記制御情報を生成することを特徴とする請求項１に記載の撮像装置。
【請求項６】
前記重み付け手段は、前記算出手段により算出される変化量が所定の閾値より小さい場合、前記記憶手段に記憶される状態情報に対して重み付けを行なうことを特徴とする請求項５に記載の撮像装置。
【請求項７】
前記状態情報は、撮影時における、ホワイトバランス調整値、被写体の明るさ、被写体の色、手ぶれ量、ズーム位置及び使用モードのうちの少なくとも一つに係る状態情報を含むことを特徴とする請求項１乃至６の何れか１項に記載の撮像装置。
【請求項８】
前記制御情報は、ホワイトバランス、カラーバランス、防震感度、ズーム位置及びズーム速度のうちの少なくとも一つを制御するための制御情報を含むことを特徴とする請求項１乃至７の何れか１項に記載の撮像装置。
【請求項９】
撮像装置の制御方法であって、
当該撮像装置の撮像時の状態に関する情報を取得する取得ステップと、
前記取得ステップにより取得される状態情報を記憶手段に記憶する記憶ステップと、
前記記憶手段に記憶されている複数の状態情報に基づいて、当該撮像装置を制御するための制御情報を生成する生成ステップと、
前記生成ステップにより生成される制御情報に基づいて、当該撮像装置を制御する制御ステップとを含むことを特徴とする撮像装置の制御方法。
【請求項１０】
請求項９に記載の撮像装置の制御方法をコンピュータに実行させるためのプログラム。
【請求項１１】
請求項１０に記載のプログラムを記録したコンピュータ読み取り可能な記録媒体。
【発明の詳細な説明】
【技術分野】
【０００１】
本発明は、撮影に係る状態情報に応じた制御が可能な撮像装置及びその制御方法に関するものである。
【背景技術】
【０００２】
従来、画像信号をデジタル信号に変換して磁気テープや光ディスク等に対して記録再生する装置が知られている。近年、ユーザのニーズの多様化および技術の進歩に伴い、多種多様の処理機能が搭載されるようになってきている。さらに、これらの撮像装置を使用するユーザ層も広がり、様々なユーザによる、様々な使用方法に対応すべく、あらゆる使用状況を想定し、なるべく処理を限定しないような設計になってきている。
【０００３】
しかしながら、ユーザ個人個人に着目すると、撮影における操作や好みや癖には特徴があり、あらゆる使用状況を想定した設定では、無駄な処理機能や非効率な処理が多くなってしまう。撮像装置をそれぞれのユーザに特化した設定にすることで、無駄な処理機能を排除し、各ユーザに適した効率的な処理を行うことが望ましい。しかし、ユーザ自身が撮像装置のカスタマイズを行うことは、撮像装置の特性を熟知している必要があり、現実には非常に困難である。
【０００４】
このような問題を解決する手段として、ユーザに対応する個人情報に基づいてカスタマイズ情報を算出し、カスタマイズ情報に基づいて撮影機能のカスタマイズ化を行う撮像装置が提案されている（例えば、特許文献１参照）。
【０００５】
【特許文献１】特開２００３−１６９２４４号公報
【発明の開示】
【発明が解決しようとする課題】
【０００６】
しかしながら、この従来方式では、使用時にユーザが個人情報を入力する必要があり、また、カスタマイズ可能な項目も、各ユーザの使用方法に直接的に結びつくものではないという欠点を有していた。
【０００７】
そこで、本発明の目的は、撮像に係る複数の状態情報に応じて撮像装置を制御可能とすることにある。
【課題を解決するための手段】
【０００８】
本発明の撮像装置は、当該撮像装置の撮像時の状態に関する情報を取得する取得手段と、前記取得手段により取得される状態情報を記憶する記憶手段と、前記記憶手段に記憶されている複数の状態情報に基づいて、当該撮像装置を制御するための制御情報を生成する生成手段と、前記生成手段により生成される制御情報に基づいて、当該撮像装置を制御する制御手段とを有することを特徴とする。
本発明の撮像装置の制御方法は、撮像装置の制御方法であって、当該撮像装置の撮像時の状態に関する情報を取得する取得ステップと、前記取得ステップにより取得される状態情報を記憶手段に記憶する記憶ステップと、前記記憶手段に記憶されている複数の状態情報に基づいて、当該撮像装置を制御するための制御情報を生成する生成ステップと、前記生成ステップにより生成される制御情報に基づいて、当該撮像装置を制御する制御ステップとを含むことを特徴とする。
【発明の効果】
【０００９】
本発明によれば、撮像に係る複数の状態情報に応じて撮像装置を制御することが可能となる。
【発明を実施するための最良の形態】
【００１０】
以下、本発明を適用した好適な実施形態を、添付図面を参照しながら詳細に説明する。
【００１１】
−第１の実施形態−
先ず、本発明の第１の実施形態について説明する。図１は、本発明の第１の実施形態に係る撮像装置の構成を示す図である。
【００１２】
１０１はレンズであり、レンズ１０１の後方には絞り１０２が配置されている。レンズ１０１、絞り１０２を介した光は、ＣＣＤ１０５の結像面上に被写体像として結像される。ＣＣＤ１０５において、結像された被写体像は光信号から映像信号に変換される。
【００１３】
ＣＣＤ１０５により得られた映像信号は、信号処理部１１２に送られる。映像信号は信号処理部１１２において所定の処理を施され、ディスプレイ１１６に出力されるか、あるいは、磁気テープ１１５、ＤＶＤディスク１１７又はメモリカード１１８に記録される。
【００１４】
１０７は状態情報取得部であり、撮像した時のホワイトバランス調整値、被写体の明るさ、被写体の色、手ぶれ量、使用頻度の高いズーム位置情報、使用モードといった撮像時の状態に関する情報を取得状態情報する。取得された状態情報状態情報は、状態情報状態情報記憶部１０８において記憶される。すなわち、撮像を行うたびに、ホワイトバランス調整値、被写体の明るさ、被写体の色、手ぶれ量、使用頻度の高いズーム位置情報、使用モードといった状態情報が状態情報記憶部１０８に蓄積され、状態情報記憶部１０８には、複数の状態情報が記憶されることとなる。
【００１５】
１０９はカスタマイズ情報算出部であり、状態情報記憶部１０８に蓄積された状態情報を解析することで、そのユーザの好む設定、手ぶれの癖などのユーザに対応したカスタマイズ情報を求める。ここで、カスタマイズ情報は、ホワイトバランス初期値、ホワイトバランス制御感度、カラーバランス制御値、防振感度、ズーム位置初期値、ズーム制御速度等の情報である。１１０はカスタマイズ制御部であり、カスタマイズ情報算出部１０９により算出されたカスタマイズ情報に基づいて、カメラマイコン１１１を通じて撮像装置の制御を行う。
【００１６】
カメラマイコン１１１は、ＣＣＤ制御部１０６を通じて、ＣＣＤ１０５の蓄積、読み出し等の制御を行う。また、カメラマイコン１１１は、レンズ制御部１０３を通じて、レンズ１０１のフォーカス、ズーム等の制御を行う。また、カメラマイコン１１１１は、絞り制御部１０４を通じて絞り１０２の制御を行い、併せてシャッタースピードの制御を行うことで露出制御を行う。また、カメラマイコン１１１は、信号処理部１１２を通じて映像を撮影するためのホワイトバランス制御を行い、映像のホワイトバランスが適正になるように処理する。さらに、カメラマイコン１１１は、レンズ制御部１０３を通じてレンズ１０１を駆動するか、又は、信号処理部１１２を制御することで、ユーザの撮影時の手ぶれを補正する。カメラマイコン１１１は、上記パラメータを制御する際、カスタマイズ制御部１１０からの情報に基づき、制御方法を決定する。カスタマイズ制御部１１０による、それぞれのユーザに適したカスタマイズ制御については、後で詳しく述べる。
【００１７】
図２は、本実施形態の撮像装置の概観を示す斜視図である。１２０は撮像装置本体である。撮像装置本体１２０内部には、ＤＶＤディスク、磁気テープ及びメモリカード等の記録媒体が収納され、映像信号および静止画像を記録再生できるようになっている。１２１はレンズ部である。１２２はマイクであり、撮影時の音声を記録するために備えられている。１２３は電子式ビューファインダ（ＥＶＦ）であり、覗き込むことによりカメラ撮影時に被写体を狙ったり確認したりするために備えられている。
【００１８】
１２４は動画用トリガースイッチである。動画用トリガースイッチ１２４はプッシュボタンであり、動画撮影開始及び終了を機器に伝達するためにユーザが操作するスイッチである。１２５は静止画用トリガースイッチである。静止画用トリガースイッチ１２５はプッシュボタンであり、静止画撮影開始及び終了を機器に伝達するためにユーザが操作するスイッチである。
【００１９】
１２６はモードダイヤルであり、回転式のスイッチからなる。モードダイヤル１２６では、例えば再生モードに設定する"再生"、カメラモードに設定する"カメラ"およびそのいずれでもない"ＯＦＦ"のいずれかを選択できる。
【００２０】
１２７は操作スイッチ群であり、ユーザが本体を操作するため、特に再生系やメニュー操作等のためのキーが配置されている。
【００２１】
１２８は本体側面に開閉自在となるように取り付けられた液晶パネルであり、ＥＶＦ１２３と同様に、カメラ撮影時には被写体像の確認、再生時には再生画像の表示に主に使用される。液晶パネル１２８は、本体１２０から開いている状態で、さらに水平方向にも回転可能になっている。
【００２２】
１２９はスピーカであり、再生するときに音声を出力するために設けられている。１３０はバッテリであり、本体１２０と着脱可能になっている。
【００２３】
次に、本実施形態の撮像装置における、それぞれのユーザに適したカスタマイズ制御について、図３のフローチャートを参照しながら説明する。図３は、本実施形態のカスタマイズ制御処理を示すフローチャートである。
【００２４】
電源投入されると（Ｓ１０１）、状態情報取得部１０７は、撮像した時のホワイトバランス調整値、被写体の明るさ、被写体の色、手ぶれ量、使用頻度の高いズーム位置情報、使用モードといった状態情報を取得する（Ｓ１０４）。
【００２５】
続いて、状態情報取得部１０７は、取得した状態情報を状態情報記憶部１０８に記憶し、蓄積する（Ｓ１０５）。
【００２６】
続いて、カスタマイズ情報算出部１０９は、状態情報記憶部１０８にこれまで蓄積された状態情報を解析することで、そのユーザの好む設定、手ぶれの癖などのユーザに対応したカスタマイズ情報を求める（Ｓ１０６）。例えば、ホワイトバランスが低色温度で使われることが多ければ、ホワイトバランスの初期値、制御感度等を低色温度側に設定する。逆に、ホワイトバランスが高色温度で使われることが多ければ、ホワイトバランスの初期値、制御感度等を高色温度側に設定する。また、被写体の明るさや色情報から、屋内外を判断し、屋外で使われることが多ければ、ホワイトバランス、カラーバランスの初期値、制御感度、制御値を屋外よりに設定する。逆に、被写体の明るさや色情報から、屋内外を判断し、屋内で使われることが多ければ、ホワイトバランス、カラーバランスの初期値、制御感度、制御値を屋内よりに設定する。また、手ぶれ量が多ければ、防振の感度を向上させる。また、ズーム位置の頻度を検出し、使用頻度の高いズーム位置に、ズーム位置の初期値を設定する。また、ズームのＴＥＬＥ／ＷＩＤＥの微調整を多用するユーザに対しては、ズームの制御速度を低速に設定する。
【００２７】
続いて、カスタマイズ情報算出部１０９は、算出したカスタマイズ情報に基づいて、撮像装置の制御パラメータを更新する（Ｓ１０７）。
【００２８】
続いて、カスタマイズ制御部１１０は、更新された制御パラメータに基づいて、カメラマイコン１１１を介して撮像装置の制御を行う（Ｓ１０８）。
【００２９】
電源が切断されて制御が終了するまで、状態情報取得（Ｓ１０４）からの処理が繰り返される。電源が切断されると、処理は終了する（Ｓ１１０）。
【００３０】
以上述べたように、本実施形態においては、撮影時にユーザの操作方法、好み、癖などの状態情報を取得・蓄積し、その蓄積データからカスタマイズ情報を導くことで、それぞれのユーザにとって無駄な処理機能を排除している。これにより、それぞれのユーザに適した効率的な処理を行うことができ、撮像装置の性能向上を実現できる。
【００３１】
−第２の実施形態−
次に、本発明の第２の実施形態について説明する。図４は、本発明の第２の実施形態に係る撮像装置の構成を示す図である。図１に示す第１の実施形態の構成に使用者を識別するための構成が追加されている。なお、図１と同一の符号が付してある構成は、図１と同一機能であるため、それらについては説明を省略する。
【００３２】
２１４は使用者識別部であり、ユーザがメニューやスイッチにより設定する、指紋認証のようなバイオメトリクスにより検出する、又は、後述する操作の状態情報から自動検出する等により、使用しているユーザを特定する。ここで、使用者識別部２１４により識別したユーザ名又は識別子を液晶パネル１２８や電子式ビューファインダ１２３に表示することで、ユーザに提示するようにしても良い。
【００３３】
次に、本実施形態の撮像装置による、それぞれのユーザに適したカスタマイズ制御について、図５のフローチャートを参照しながら説明する。
【００３４】
図５は、本実施形態のカスタマイズ制御処理を示すフローチャートである。電源投入されると（Ｓ２０１）、使用者識別部２１４は撮像装置を使用するユーザを識別する（Ｓ２０２）。ここで、ユーザの識別は、ユーザがメニューやスイッチにより設定する、指紋認証のようなバイオメトリクスにより検出する、又は、取得する操作の状態情報から自動検出する等の方法により行う。
【００３５】
次に、識別したユーザのユーザ名又は識別子を液晶パネル１２８や電子式ビューファインダ１２３に表示することで、ユーザに提示する（Ｓ２０３）。
【００３６】
続いて、状態情報取得部１０７は、撮像した時のホワイトバランス調整値、被写体の明るさ、被写体の色、手ぶれ量、使用頻度の高いズーム位置情報、使用モードといった状態情報を取得する（Ｓ２０４）。状態情報
【００３７】
続いて、状態情報取得部１０７は、取得した状態情報を、使用者識別（Ｓ２０２）において識別したユーザ毎に状態情報記憶部２０８に記憶し、蓄積する（Ｓ２０５）。
【００３８】
続いて、カスタマイズ情報算出部１０９は、状態情報記憶部２０８にこれまで蓄積された状態情報を解析することで、そのユーザの好む設定、手ぶれの癖などのユーザに対応したカスタマイズ情報を求める（Ｓ２０６）。例えば、ホワイトバランスが低色温度で使われることが多ければ、ホワイトバランスの初期値、制御感度等を低色温度側に設定する。逆に、ホワイトバランスが高色温度で使われることが多ければ、ホワイトバランスの初期値、制御感度等を高色温度側に設定する。また、被写体の明るさや色情報から、屋内外を判断し、屋外で使われることが多ければ、ホワイトバランス、カラーバランスの初期値、制御感度、制御値を屋外よりに設定する。逆に、被写体の明るさや色情報から、屋内外を判断し、屋内で使われることが多ければ、ホワイトバランス、カラーバランスの初期値、制御感度、制御値を屋内よりに設定する。また、手ぶれ量が多ければ、防振の感度を向上させる。また、ズーム位置の頻度を検出し、使用頻度の高いズーム位置に、ズーム位置の初期値を設定する。また、ズームのＴＥＬＥ／ＷＩＤＥの微調整を多用するユーザに対しては、ズームの制御速度を低速に設定する。
【００３９】
続いて、カスタマイズ情報算出部１０９は、算出したカスタマイズ情報に基づいて、撮像装置の制御パラメータを更新する（Ｓ２０７）。
【００４０】
続いて、カスタマイズ制御部１１０は、更新した制御パラメータに基づいて、カメラマイコン１１１を介して撮像装置の制御を行う（Ｓ２０８）。
【００４１】
電源が切断されて制御が終了するまで、状態情報取得（Ｓ２０４）からの処理が繰り返される。電源が切断されると、処理は終了する（Ｓ２１０）。
【００４２】
以上述べたように、本実施形態においては、使用者識別手段を備え、ユーザ毎に操作方法、好み、癖等の状態情報を取得・蓄積し、その蓄積データからそれぞれのユーザに適したカスタマイズ制御を行なっている。これにより、一台の撮像装置を複数のユーザで使用する場合においても、それぞれのユーザにとって無駄な処理機能を排除し、それぞれのユーザに適した効率的な処理を行うことができ、撮像装置の性能向上を実現できる。
【００４３】
−第３の実施形態−
次に、本発明の第３の実施形態について説明する。本実施形態では、第１の実施形態におけるカスタマイズ制御処理を以下のように置き換える。なお、本実施形態において必要な構成は図１に示す構成と同様であるため、図１の符号を用いて説明する。
【００４４】
図６は、本発明の第３の実施形態のカスタマイズ制御処理を示すフローチャートである。電源投入されると（Ｓ３０１）、状態情報取得部１０７は、撮像した時のホワイトバランス調整値、被写体の明るさ、被写体の色、手ぶれ量、使用頻度の高いズーム位置情報、使用モードといった状態情報を取得する（Ｓ３０４）。
【００４５】
続いて、状態情報取得部１０７は、取得した状態情報を状態情報記憶部１０８に記憶し、蓄積する（Ｓ３０５）。
【００４６】
続いて、カスタマイズ情報算出部１０９は、状態情報取得部１０７によって現在取得された状態情報と当該状態情報を蓄積する前までに蓄積された状態情報の例えば平均値との差分を、予め設定された閾値と比較する（Ｓ３１１）。その結果、状態情報の変化が閾値以上である場合は、カスタマイズ情報算出部１０９は、ユーザが変更になったと判断し、カスタマイズ制御から抜けるために、撮像装置の制御パラメータを標準設定であるデフォルト値に戻す（Ｓ３１２）。ここで、制御パラメータをデフォルト値に戻したことを液晶パネル１２８や電子式ビューファインダ１２３に表示することで、ユーザに提示するようにしても良い。
【００４７】
一方、状態情報の変化が閾値より小さい場合は、カスタマイズ情報算出部１０９は同一ユーザであると判断し、状態情報記憶部１０８によってこれまで蓄積された状態情報を解析することで、そのユーザの好む設定、手ぶれの癖などのユーザに対応したカスタマイズ情報を求める（Ｓ３０６）。例えば、ホワイトバランスが低色温度で使われることが多ければ、ホワイトバランスの初期値、制御感度等を低色温度側に設定する。逆に、ホワイトバランスが高色温度で使われることが多ければ、ホワイトバランスの初期値、制御感度などを高色温度側に設定する。また、被写体の明るさや色情報から、屋内外を判断し、屋外で使われることが多ければ、ホワイトバランス、カラーバランスの初期値、制御感度、制御値を屋外よりに設定する。逆に、被写体の明るさや色情報から、屋内外を判断し、屋内で使われることが多ければ、ホワイトバランス、カラーバランスの初期値、制御感度、制御値を屋内よりに設定する。また、手ぶれ量が多ければ、防振の感度を向上させる。また、ズーム位置の頻度を検出し、使用頻度の高いズーム位置に、ズーム位置の初期値を設定する。また、ズームのＴＥＬＥ／ＷＩＤＥの微調整を多用するユーザに対しては、ズームの制御速度を低速に設定する。次に算出したカスタマイズ情報に基づいて、撮像装置の制御パラメータを更新する（Ｓ３０７）。
【００４８】
続いて、カスタマイズ制御部１１０は、Ｓ３１２でデフォルト値に設定された制御パラメータ、又は、Ｓ３０７で更新された制御パラメータに基づいて、マイコン１１１を介して撮像装置の制御を行う（Ｓ３０８）。
電源が切断されて制御が終了するまで、状態情報取得（Ｓ３０４）からの処理が繰り返される。電源が切断されると、処理は終了する（Ｓ３１０）。
【００４９】
本実施形態によれば、あるユーザに最適なカスタマイズ制御を行っている際に、撮像装置を使用するユーザが変更になった場合にも、異なるユーザ用にカスタマイズされた制御を継続してしまうことがなくなり、撮像装置の性能低下を避けることができる。
【００５０】
−第４の実施形態−
次に、本発明の第４の実施形態について説明する。本実施形態では、第２の実施形態におけるカスタマイズ制御処理を以下のように置き換える。なお、本実施形態において必要な構成は図４に示す構成と同様であるため、図４の符号を用いて説明する。
【００５１】
図７は、本実施形態のカスタマイズ制御処理を示すフローチャートである。電源投入されると（Ｓ４０１）、使用者識別部２１４は撮像装置を使用するユーザを識別する（Ｓ４０２）。ここで、ユーザの識別は、ユーザがメニューやスイッチにより設定する、指紋認証のようなバイオメトリクスにより検出する、又は、取得する操作の状態情報から自動検出する等の方法により行う。
【００５２】
次に、識別したユーザのユーザ名又は識別子を液晶パネル１２８や電子式ビューファインダ１２３に表示することで、ユーザに提示する（Ｓ４０３）。
【００５３】
続いて、状態情報取得部１０７は、撮像した時のホワイトバランス調整値、被写体の明るさ、被写体の色、手ぶれ量、使用頻度の高いズーム位置情報、使用モードといった状態情報を取得する（Ｓ４０４）。
【００５４】
続いて、状態情報取得部１０７は、取得した状態情報を、使用者識別（Ｓ４０２）において識別したユーザ毎に状態情報記憶部２０８に蓄積する（Ｓ４０５）。
【００５５】
続いて、カスタマイズ情報算出部１０９は、状態情報取得部１０７によって現在取得された状態情報と、当該状態情報を蓄積する前までに蓄積された同一ユーザの状態情報の例えば平均値との差分を、予め設定された閾値と比較する（Ｓ４１１）。状態情報の変化が閾値以上である場合は、カスタマイズ情報算出部１０９は、同一ユーザであっても、習熟する等して検出される状態情報が大きく変化したと判断し、状態情報の重みを変更する（Ｓ４１２）。ここで、状態情報の重み付けは、例えば、より最近に蓄積された状態情報の重みを重くするなど方法がある。
【００５６】
続いて、カスタマイズ情報算出部１０９は、蓄積した状態情報に対して、重み付けされた状態情報を解析することで、そのユーザの好む設定、手ぶれの癖などのユーザに対応したカスタマイズ情報を求める（Ｓ４０６）。
【００５７】
一方、状態情報の変化が閾値より小さい場合は、カスタマイズ情報算出部１０９は、ユーザの習熟度などに変化がないと判断し、蓄積した状態情報を解析することで、そのユーザの好む設定、手ぶれの癖などのユーザに対応したカスタマイズ情報を求める（Ｓ４０６）。
【００５８】
ここで、カスタマイズ情報の算出は、例えば、ホワイトバランスが低色温度で使われることが多ければ、ホワイトバランスの初期値、制御感度等を低色温度側に設定する。逆に、ホワイトバランスが高色温度で使われることが多ければ、ホワイトバランスの初期値、制御感度等を高色温度側に設定する。また、被写体の明るさや色情報から、屋内外を判断し、屋外で使われることが多ければ、ホワイトバランス、カラーバランスの初期値、制御感度、制御値を屋外よりに設定する。逆に、被写体の明るさや色情報から、屋内外を判断し、屋内で使われることが多ければ、ホワイトバランス、カラーバランスの初期値、制御感度、制御値を屋内よりに設定する。また、手ぶれ量が多ければ、防振の感度を向上させる。また、ズーム位置の頻度を検出し、使用頻度の高いズーム位置に、ズーム位置の初期値を設定する。また、ズームのＴＥＬＥ／ＷＩＤＥの微調整を多用するユーザに対しては、ズームの制御速度を低速に設定する。
【００５９】
続いて、カスタマイズ情報算出部１０９は、算出したカスタマイズ情報に基づいて、撮像装置の制御パラメータを更新する（Ｓ４０７）。
【００６０】
続いて、カスタマイズ制御部１１０は、更新された制御パラメータに基づいて、カメラマイコン１１１を介して撮像装置の制御を行う（Ｓ４０８）。
【００６１】
電源が切断されて制御が終了するまで、状態情報取得（Ｓ４０４）からの処理が繰り返される。電源が切断されると、処理は終了する（Ｓ４１０）。
【００６２】
本実施形態によれば、同一ユーザであっても、習熟する等して検出される状態情報が大きく変化する場合にも、状態情報の変化を考慮したカスタマイズ制御が可能となり、撮像装置の性能をより向上させることができる。
【００６３】
以上のように、上述した実施形態によれば、撮影時にユーザの操作方法、好み、癖などの状態情報を取得・蓄積し、その蓄積データからカスタマイズ情報を導き、撮像装置を制御している。従って、それぞれのユーザにとって無駄な処理機能を排除し、それぞれのユーザに適した効率的な処理を行うことができ、撮像装置の性能向上を実現できる。
【００６４】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００６５】
この場合、記憶媒体から読み出されたプログラムコード自体が前述した実施形態の機能を実現することになり、プログラムコード自体及びそのプログラムコードを記憶した記憶媒体は本発明を構成することになる。
【００６６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６７】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００６８】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００６９】
【図１】本発明の第１及び第３の実施形態に係る撮像装置の構成を示す図である。
【図２】本発明の第１〜第４の実施形態に係る撮像装置の外観を示す斜視図である。
【図３】本発明の第１の実施形態におけるカスタマイズ制御処理を示すフローチャートである。
【図４】本発明の第１及び第４の実施形態に係る撮像装置の構成を示す図である。
【図５】本発明の第２の実施形態におけるカスタマイズ制御処理を示すフローチャートである。
【図６】本発明の第３の実施形態におけるカスタマイズ制御処理を示すフローチャートである。
【図７】本発明の第４の実施形態におけるカスタマイズ制御処理を示すフローチャートである。
【符号の説明】
【００７０】
１０１  レンズ
１０２  絞り
１０３  レンズ制御部
１０４  絞り制御部
１０５  ＣＣＤ
１０６  ＣＣＤ制御部
１０７  状態情報取得部
１０８  状態情報記憶部
１０９  カスタマイズ情報制御部
１１０  カスタマイズ制御部
１１１  カメラマイコン
１１２  信号処理部
１１５  磁気テープ
１１６  ディスプレイ
１１７  ＤＶＤディスク
１１８  メモリカード
２１４  使用者識別部
【図１】
2007235216.tif 000003
【図２】
2007235216.tif 000004
【図３】
2007235216.tif 000005
【図４】
2007235216.tif 000006
【図５】
2007235216.tif 000007
【図６】
2007235216.tif 000008
【図７】
2007235216.tif 000009